(57)【要約】【課題】宅配水ミネラルウオーターは、塩素が加入されていないので、夏期、サーバーへ設置のボトル水、並びに在庫のボトル水は、置かれている室内温度の上昇と共に、ウオーター内に微小に残留していた、雑菌が増殖します。通常のサーバーには、雑菌対策装置はなく、一部、熱殺菌、オゾン殺菌が存在しますが、この装置て殺菌されたウオーターは、ミネラル水の特色を損失させてしまいます。天然水の特色を失します。【解決手段】液体が入ったボトルを収容するボトル収容庫と、前記ボトルを載置し、前記ボトルから液体を供給するサーバーと、前記ボトル収容庫から前記サーバーへ前記ボトルを運ぶための移動用レールとを有し、前記移動用レールは前記ボトルを上下方向を反転させるように構成されている液体供給装置です。【選択図】  図１
2019043662.tif 000002
【特許請求の範囲】
【請求項１】
液体が入ったボトルを収容するボトル収容庫と、前記ボトルを載置し、前記ボトルから液体を供給するサーバーと、前記ボトル収容庫から前記サーバーへ前記ボトルを運ぶためのレールとを有し、前記レールは前記ボトルを上下方向を反転させるように構成されている液体供給装置。
【請求項２】
前記ボトル収容庫は、前記ボトルを冷却する第１の冷却装置を有する請求項１に記載の液体供給装置。    
【請求項３】
前記サーバーは、前記サーバーを戴置する戴置部の範囲を囲む蓋体を有する請求項１または２に記載の液体供給装置。    
【請求項４】
前記サーバーは、前記液体を冷却する第2の冷却装置を有する請求項目1から３のいずれかに記載の液体供給供給装置。
【請求項５】
ボトルを戴置する戴置部の範囲を囲む蓋体を有する液体供給装置。
【請求項６】
前記戴置する戴置部を冷却する冷却装置を有する請求項５に記載の液体供給装置。
【請求項７】
ボトルを戴置するサーバー内部の戴置部のボトルを冷却する冷却装置を有する液体供給装置。
【請求項８】
ボトルをの継口を下にして保管する保管庫。
【発明の詳細な説明】
【技術分野】
【０００１】
本発明は、液体供給装置に関する。
【背景技術】
【０００２】
サーバーの草分け頭初より、サーバーの生産に携わってきた、経験を基に、宅配水ミネラルウオーターの問題点を指摘し、その解決策として、今回の発明を考案した。宅配水ミネラルウオーターサーバーは、図８に示すように、本体の上部にタンクは配置するか、又は、本体の下部（内部）に配置する形式であり、上部または下部(内部)のタンクの温度管理は行われていない。
【先行技術文献】
【特許文献】
【０００３】
【特許文献１】特開２０１０−１４３６３０号公報
【発明の概要】
【発明が解決しようとする課題】
【０００４】
宅配水ミネラルウオーターは、塩素が加入されていないので、夏期、サーバーへ設置のボトル水、並びに在庫のボトル水は、置かれている室内温度の上昇と共に、ウオーター内に微小に残留していた、雑菌が増殖します。通常のサーバーには、雑菌対策装置はなく、一部、熱殺菌、オゾン殺菌が存在しますが、、この装置て殺菌されたウオーターは、ミネラル水の特色を損失させてしまいます。天然水の特色を失します。
【０００５】
又熱殺菌、オゾン殺菌装置等で、対応した、ボトル水は、ミネラルの特色を損失する事になります。冷却装置付サーバー並びに、冷蔵保管庫を使用する事により、ミネラル水が自然の状態で、衛生的に美味しく飲用できます。さらに、宅配水は、重量が有り、サーバーへ移動設置するには多大な、人力を要します。
【課題を解決するための手段】
【０００６】
上記の課題を解決する第1の発明は、液体が入ったボトルを収容するボトル収容庫と、前記ボトルを載置し、前記ボトルから液体を供給するサーバーと、前記ボトル収容庫から前記サーバーへ前記ボトルを運ぶためのレールとを有し、前記レールは前記ボトルを上下方向を反転させるように構成されている液体供給装置である。
また、第２の発明は、第1の発明において、前記ボトル収容庫は、前記ボトルを冷却する第１の冷却装置を有する液体供給装置である。    
また、第３の発明は、第1または第２の発明において、前記サーバーは、前記サーバーを戴置する戴置部の範囲を囲む蓋体を有する液体供給装置である。    
また、第４の発明は、第1から第３のいずれかの発明において、前記サーバーは、前記液体を冷却する第2の冷却装置を有する記載の液体供給供給装置である。
また、第５の発明は、ボトルを戴置する戴置部の範囲を囲む蓋体を有する液体供給装置である。
また、第６の発明は、前記戴置する戴置部を冷却する冷却装置を有する液体供給装置である。
また、第７の発明は、ボトルを戴置するサーバー内部の戴置部のボトルを冷却する冷却装置を有する液体供給装置である。
【発明の効果】
【０００７】
熱殺菌、オゾン殺菌装置等で、対応した、ボトル水は、ミネラルの特色を損失する事になります。冷却装置付サーバー並びに、冷蔵保管庫を使用する事により、ミネラル水が自然の状態で、衛生的に美味しく飲用できます。さらに、宅配水は、重量が有り、サーバーへ移動設置するには多大な、人力を要しますが、移動レール付き保管庫を使用する事により、省力的にボトルの設置が、可能になります。
【図面の簡単な説明】
【０００８】
【図１】本発明の１実施形態に係る液体供給装置全体を示す側面図である。
【図２】本発明の１実施形態に係る液体供給装置の蓋体を取り外した状態を示す側面図である。
【図３】本発明の１実施形態に係る液体供給装置においてボトルを移動する状態を示す側面図である。
【図４】本発明の１実施形態に係る液体供給装置において、ボトルをサーバーに装着した状態を示す側面図である。
【図５】本発明の１実施形態に係る液体供給装置において、蓋体をサーバーに装着する状態を示す側面図である。
【図６】本発明の１実施形態に係る液体供給装置において、ボトル移動用レール上で移送する状態を示す斜視図である。
【図７】本発明の１実施形態に係る液体供給装置において、（A）はボトルを移動用レールで移送する前の状態を示す平面図である。（B）はボトルを移動用レールで移送する状態を示す側面図である。
【図８】ボトルを装着した状態を示す、サーバーの従来例の側面図である。
【図９】ボトルを入れた状態を示す、ボトル収容庫の従来例の側面図である。
【図１０】ボトルをの継口を下にして保管するボトル収容庫に側面図である。
【発明を実施するための形態】
【０００９】
図８に現在、一般的に使用されているウォーターサーバー１を示す。この図においては、水の入れたボトル１０（ウォーターサーバーの内部にボトルの供給口を上むき）に、上部には、ボトル１１（ウォーターサーバーの上部にボトルの供給口を下むき）に配置しているが、そのいずれか（片方、または両方）であっても良い。
【００１０】
図９に現在、一般的に使用されているウォーターサーバー用のは予備のボトル１２（ボトルの供給口を上むき）の保管庫を示す。断熱、密閉構造ではない。
【００１１】
図１に本発明の実施例を示す。  １はウォーターサーバーである。この図においては、水の入れたボトル１０（ウォーターサーバーの内部にボトルの供給口を上むき）に、上部には、ボトル１１（ウォーターサーバーの上部にボトルの供給口を下むき）に配置しているが、そのいずれか（片方、または両方）であっても良い。
【００１２】
上部のボトル１１は、上部カバー（蓋体）２で覆われている。このカバー２は、ウォーターサーバー１に密閉しておかれており、内部を冷却するための冷媒を通す配管３を配している。この配管３は、カバー２の内部に配置してもよい。また、カバー２の内部を有効に冷却することができるものであれば、この形式に限定されるものではない。カバー内に冷気を直接供給するものでも良い。冷媒、冷気の供給系は図示していないが、通常の冷蔵庫等と同様のものでよく、モーター、コンプレッサー等はウォーターサーバー１の下部に置かれており、冷媒を送る配管をウォーターサーバー１の内部や上部にむけて配している。
【００１３】
４、５は液体を供給するための操作に関する部材、装置である。液体を入れるカップを置く棚、カップの供給装置、ボタン等であるが、現在、実用化しているものと同様の形状、機能を持つものである。なお、内部には、冷却された液体、加温された液体を入れるための容器、および、それらの温度を維持するための装置（いずれも図示せず）が配置されている。
【００１４】
６は予備のボトル１２（ボトルの供給口を上むき）の保管庫である。断熱、密閉構造であり、内部を冷却するための冷媒を通す配管７配している。この配管７は、保管庫６の外部にあっても良く、内部を有効に冷却するものであれば、この形式に限定されるものではない。冷媒、冷気の供給系は図示していないが、通常の冷蔵庫等と同様のものでよく、モーター、コンプレッサー等はウォーターサーバー１の下部または、側面に置かれている。
【００１５】
８は、保管庫６のボトル１２を、ボトル１１の状態にするための移動手段である。移動手段８は、保管庫６からボトル１２を上部に移動させ、頂点を過ぎ下降してウォーターサーバー１の上部にボトルを移動させる。なお、ウォーターサーバー１の上に載置したボトル１２、または、ウォーターサーバー１の内部に載置したボトル１０を冷却する冷却装置のみを設けたウォーターサーバー１、ウォーターサーバー１の上に載置したボトル１２、および、ウォーターサーバー１の内部に載置したボトル１０のいずれも、または、いずれかを冷却する冷却装置のみを設けたウォーターサーバー１単独の場合（移動用レール等の移動手段を備えない）も、本発明の権利範囲である。また、冷却装置を持つボトル保管庫、単独の場合も本発明の権利範囲である。
【００１６】
以下の図２〜図７でボトルの保管庫６からウォーターサーバー１への移管方法の説明を行う。
【００１７】
図２は、保管庫６からボトル１２を移し始める前の状態である。ウォーターサーバー１の上部カバー２は取り外され、移動手段８が設置されている。
【００１８】
図３は、ボトル１３が保管庫６からウォーターサーバー１への移動中の状態である。ボトル１３はボトルを乗せて固定する部材９に乗せられて、移動手段８上を保管庫６からウォーターサーバー１に移動される。なお、この移動中にボトル１３の供給口は、移動当初は上むきであるが、移動手段８の頂点を過ぎると、下向きに反転する。
【００１９】
図４は、ボトルが保管庫６からウォーターサーバー１への移動後の状態である。この移動中にボトルの供給口は、下向きに反転して、ウォーターサーバー１の上部に置かれる。
【００２０】
図５は、ウォーターサーバー１の上部にボトル１１が置かれ、上部カバー２が置かれる様子を示している。なお、ウォーターサーバー１上のボトルを冷却する上部カバー２の形式はこの図に示した形式に限定されるものではない、カバーがウォーターサーバー１の上のボトル１１を冷却状態で保つ機能を持つものであればよく、開閉扉を持つ固定式のカバーであっても良い。
【００２１】
図６は、ボトル１３が保管庫６からウォーターサーバー１への移動中の状態を示す図である。ボトル１３はボトルを乗せて固定する部材９に乗せられて、移動手段８上を保管庫６からウォーターサーバー１に移動される。なお、この移動中にボトル１３の供給口は、移動当初は上向きであるが、移動手段８の頂点を過ぎると、下向きに反転する。図においては、固定する部材９はボトル１３を単に乗せるようにしているが、移動手段８の頂点を過ぎ、下向きに反転した後もボトル１３を固定するようにしている。
【００２２】
図７は、ボトル１３が保管庫６からウォーターサーバー１への移動中の状態を示す図である。（Ａ）は保管庫６側から見た図であり、（Ｂ）は横側から見た図である。移動手段８は例えば、移動用レール上をチェーン等で移動させるものでよく、手動、電動いずれであっても良い。
【００２３】
なお、図１０に、保管庫（ボトル保管庫）６において、ボトル１２の上下を逆にして保管する保管庫（ボトル保管庫）６を示した。この場合は、前記ボトル１２を上下反転させることなく、そのまま、ウォーターサーバー１の上部にセットすることができ、通常のエレベーター等の装置を用いることも可能であり、手で持ち上げてセットする場合も容易である。
【産業上の利用可能性】
【００２４】
本発明は新たな、ミネラルウオーター関連産業の拡大に有効である。
【符号の説明】
【００２５】
１  ウォーターサーバー
２  上部カバー（蓋体）
３  上部カバー（蓋体）冷却手段
４  給水装置等
５  他の給水装置等
６  保管庫（ボトル保管庫）
７  保管庫（ボトル保管庫）の冷却手段
８  移動手段（移動用レール）
９  ボトルを固定する部材
１０、１１、１２、１３    ボトル
【図１】
2019043662.tif 000003
【図２】
2019043662.tif 000004
【図３】
2019043662.tif 000005
【図４】
2019043662.tif 000006
【図５】
2019043662.tif 000007
【図６】
2019043662.tif 000008
【図７】
2019043662.tif 000009
【図８】
2019043662.tif 000010
【図９】
2019043662.tif 000011
【図１０】
2019043662.tif 000012